Podtech/llm-jp-corpus-v4-ja_patent huggingface dataset:
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
全身的な治療効果のために設計された薬剤を含んでなる製薬学的製剤組成物が充填されたエーロゾル吸引器であって、該薬剤は、ヒドロフルオロアルカン圧縮不活性ガス、２重量／重量％及び３０重量／重量％の間から成る量のエタノールおよび任意にエタノールより高い極性の０．２から１０重量／重量％の量の共溶媒の溶液中に溶解しており、吸引器の作動により０．５μｍから２．５μｍから成る粒子サイズを有し約１ないし２μｍの間から成る空気動力学的粒径であるエーロゾル液滴が送達される、上記吸引器。
【請求項２】
薬剤の濃度が少なくとも０．０５重量／容量％であることを特徴とする請求項１に記載のエーロゾル吸引器。
【請求項３】
薬剤の濃度が少なくとも０．４重量／重量％であることを特徴とする請求項１または２に記載のエーロゾル吸引器。
【請求項４】
圧縮不活性ガスが、ＨＦＡ１３４ａおよびＨＦＡ２２７から選択される１以上のＨＦＡを含む、請求項１ないし３に記載のエーロゾル吸引器。
【請求項５】
エタノールの量が５重量／重量％及び２０重量／重量％の間である、請求項１ないし４に記載のエーロゾル吸引器。
【請求項６】
共溶媒がエタノール、低級アルキル（Ｃ１−Ｃ４）アルコール、ポリオールまたはポリアルキレングリコールおよびそれらの組み合わせから選択される、請求項１ないし５に記載のエーロゾル吸引器。
【請求項７】
ポリオールがグリセロールおよびプロピレングリコールから選択され、そしてポリアルキレングリコールがポリエチレングリコールである、請求項６に記載のエーロゾル吸引器。
【請求項８】
共溶媒がポリアルコキシアルコールおよびポリオキシアルキルエーテルおよびエステルから選択される（ポリ）アルコキシ誘導体である、請求項１ないし５に記載のエーロゾル吸引器。  
【請求項９】
ポリオキシアルキルエーテルおよびエステルが、ポリオキシエチレンアルキルエーテル、ポリオキシエチレンソルビタン脂肪酸エステルおよびポリオキシエチレンステアレートから選択される、請求項８に記載のエーロゾル吸引器。
【請求項１０】
共溶媒がエチルオレエート、イソプロピルミリステートおよびイソプロピルパルミテートから選択される脂肪酸アルキルエステルを含んでなる、請求項１ないし５に記載のエーロゾル吸引器。
【請求項１１】
共溶媒が最高１０重量／重量％の水を含んでなる、請求項１ないし６に記載のエーロゾル吸引器。
【請求項１２】
共溶媒の量が０．５重量／重量％及び６重量／重量％の間から成る、請求項６に記載のエーロゾル吸引器。
【請求項１３】
吸引器の作動により送達される薬剤の細粒画分が少なくとも３０％である、請求項１ないし１２のいずれかに記載のエーロゾル吸引器。
【請求項１４】
細粒画分が少なくとも４０％である、請求項１ないし１３のいずれかに記載のエーロゾル吸引器。
【請求項１５】
細粒画分が少なくとも５０％である、請求項１ないし１４のいずれかに記載のエーロゾル吸引器。
【請求項１６】
バルブ作動器が０．１０〜０．５０ｍｍのオリフィス直径を有する、請求項１ないし１５のいずれかに記載のエーロゾル吸入器。
【請求項１７】
薬剤がアポモルフィンおよびロイプロリドのエステルから成る群から選択される、請求項１ないし１６のいずれかに記載のエーロゾル吸入器。
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
食欲の抑制が必要なヒト又はその他の哺乳動物において食欲を抑制するための医薬の製造における、スタペリア属及びオルベア属の植物の少なくとも1種から得た又は得られる植物性物質の有効量の使用。
【請求項２】
肥満症の治療及び／又は予防を必要とするヒト又はその他の哺乳動物において肥満症の治療及び／又は予防するための医薬の製造における、スタペリア属及びオルベア属の植物の少なくとも1種から得た又は得られる植物性物質の有効量の使用。
【請求項３】
体重減少又は所望の体重維持を必要とするヒト又はその他の哺乳動物において体重減少又は所望の体重維持を促進するための医薬の製造における、スタペリア属及びオルベア属の植物の少なくとも1種から得た又は得られる植物性物質の有効量の使用。
【請求項４】
前記の植物が王犀角及びオルベア・ヴァリエガタのうちの少なくとも１種の植物である、請求項１から３のいずれか１項に記載の使用。
【請求項５】
前記の植物性物質が、スタペリア属及びオルベア属の植物の少なくとも１種の植物から得たか又は得られる樹液、濃縮物、抽出物、画分又は活性化合物である、請求項１から３のいずれか１項に記載の使用。
【請求項６】
前記の植物性物質が有効量の１種又はそれ以上のサポニンを含有するものである、請求項１から３のいずれか１項に記載の使用。
【請求項７】
前記の植物性物質が有効量のスタバロシドＡ、Ｂ及びＣのうちの少なくとも１種を含有する、請求項１から３のいずれか１項に記載の使用。
【請求項８】
有効量のスタバロシドＣが含有される、請求項７に記載の使用。
【請求項９】
前記の濃縮物、抽出物、画分又は活性化合物が前記の植物性物質をアルコール系溶媒で処理する工程を含む方法によって得られたものである、請求項５に記載の使用。
【請求項１０】
スタペリア属及びオルベア属の植物の少なくとも１種の植物から得られたか又は得られる植物性物質を含有してなる食欲抑制薬組成物。
【請求項１１】
スタペリア属及びオルベア属の植物の少なくとも１種の植物から得られたか又は得られる抽出物、濃縮物、樹液、バオマス画分又は活性化合物。
【請求項１２】
スタペリア属及びオルベア属の植物の少なくとも１種の植物から得られたか又は得られる植物性物質の有効量を含有する食品又は飲料品。
【請求項１３】
スタペリア属及びオルベア属の植物の少なくとも１種の植物から得られたか又は得られる植物性物質の有効量を含有する栄養補助食品。
【請求項１４】
スタペリア属及びオルベア属の植物の少なくとも１種の植物から得られたか又は得られる植物性物質の有効量と、製薬学的に有効な担体とを含有してなる医薬品。
【請求項１５】
乾燥重量約１ｇから１００ｇの前記植物性物質から得られたか又は得られる樹液、抽出物、濃縮物、画分又は活性化合物の有効量を単位投与量で含有する、請求項１２から１４のいずれか１項に記載の製品。
【請求項１６】
スタペリア属及びオルベア属の植物の少なくとも１種の植物から得られたか又は得られる植物性物質を含有する組成物の使用であって、食欲を抑制又は抑止用の医薬、医薬組成物又は栄養組成物の製造における使用。
【請求項１７】
スタペリア属及びオルベア属の植物の少なくとも１種の植物から得られたか又は得られる植物性物質を含有する組成物の使用であって、肥満症の治療及び／又は予防用の医薬、医薬組成物又は栄養組成物の製造における使用。
【請求項１８】
スタペリア属及びオルベア属の植物の少なくとも１種の植物から得られたか又は得られる植物性物質を含有する組成物の使用であって、体重減少又は所望の体重維持を促進するための医薬、医薬組成物又は栄養組成物の製造における使用。
【請求項１９】
（ｉ）前記植物の植物性物質を乾燥して粗粉末に粉砕し；
（ｉｉ）前記粉末を溶媒で抽出して抽出液を形成し；
（ｉｉｉ）前記抽出液を多数の画分に分別し；
（ｉｖ）前記の多数の画分を濃縮又は乾燥し；次いで
（ｖ）食欲の抑制に効果がある画分を選択する
ことからなるスタペリア属及びオルベア属の植物の少なくとも１種の植物の食欲抑制画分の調製方法。
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2005519081.tif 000001
ここでＲ１は、Ｈ、Ｃ１−５アルキル、例えば、メチル、エチルまたはプロピル；Ｃ２−５  アルケニル；ＣＯ２Ｍｅ；ＣＯ２Ｅｔ；アシル基ＣＯＲ７であり、
Ｒ２は、Ｈ、Ｃ１−４アルキル、例えば、メチル、エチルもしくはプロピル；またはＣ２−４  アルケニルであり；但し、Ｒ１およびＲ２は、同時に水素ではなく；または
Ｒ１およびＲ２は、共にアルキリデン基、例えば、メチレン、およびＥまたはＺエチリデン、プロピリデン、ｉｓｏ−プロピリデン、ブチリデン、ｓｅｃ−ブチリデンまたはｉｓｏ−ブチリデンであり；
Ｒ３は、Ｈ、Ｃ１−４  アルキル、例えば、メチル、エチルもしくはプロピル；またはＣ２−４  アルケニルであり；
Ｒ４は、Ｈ、Ｃ１−４アルキル、例えば、メチル、エチルもしくはプロピル；またはＣ２−４  アルケニルであり；
Ｒ５は、Ｈ、Ｃ１−４アルキル、例えば、メチル、エチルもしくはプロピル；またはＣ２−４  アルケニルであり；
Ｒ６は、Ｈ、Ｃ１−４アルキル、例えば、メチル、エチルもしくはプロピル；またはＣ２−４  アルケニルであり；
Ｒ７は、Ｈ、Ｃ１−３アルキル、Ｃ２−３アルケニル；ＣＨ２ＯＲ８であり；
Ｒ８は、Ｈ、Ｃ１−３アルキルまたはＣ２−３アルケニルであり；
Ｙは、ＣＨ２基、Ｃ＝Ｏ、ＣＨＲ９、またはＣ＝ＣＲ１０Ｒ１１であり；
Ｒ９は、Ｃ１−５アルキル、例えば、メチル、エチルもしくはプロピル；またはＣ２−５アルケニルであり；
Ｒ１０は、Ｃ１−５アルキル、例えば、メチル、エチルもしくはプロピル；またはＣ２−５アルケニルであり；および
Ｒ１１は、Ｈ、メチルまたはエチルである、
で表される前記式Ｉの化合物の、フレーバー成分またはフレグランス成分としての使用。
【請求項２】
式（Ｉ）の化合物が、１Ａ、１Ｂ、１Ｃ、１Ｄ
【化２】
2005519081.tif 000002
またはそれらの混合物から選択される、請求項１に記載の使用。
【請求項３】
請求項１に定義された２−置換−３，３−ジメチルインダン−１−オンの製造方法であって、３，３，−ジメチルインダン−１−オンをアルキル化および／またはアシル化する段階を含む前記方法。
【手続補正２】
【補正対象書類名】明細書
【補正対象項目名】００２０
【補正方法】変更
【補正の内容】
【００２０】
−エステルおよびラクトン、例えば、酢酸ベンジル、酢酸セドリル、シクロマスク（Ｃｙｃｌｏｍｕｓｋ）、γ−デカラクトン、Ｈｅｌｖｅｔｏｌｉｄｅ（登録商標）、γ−ウンデカラクトンまたは酢酸ベティベニル（ｖｅｔｉｖｅｎｙｌ  ）；
−大員環、例えば、アンブレトリド（ａｍｂｒｅｔｔｏｌｉｄｅ）、エチレンブラシレートまたはＥｘａｌｔｏｌｉｄｅ（登録商標）；および
−複素環、例えば、イソブチルキノリン。
【手続補正３】
【補正対象書類名】明細書
【補正対象項目名】００２９
【補正方法】変更
【補正の内容】
【００２９】
３−メチル−３−フェニル−ブタン酸（方法ｂ）
マグネシウム（４，８６ｇ、０．２ｍｏｌ、５０−１５０メッシュ）、ネオフェニルクロリド（０．２ｇ）およびテトラヒドロフラン（１０ｍｌ）を、アルゴン雰囲気下のフラスコに置いた。その後、１，２−ジブロモエタン（０．２ｍｌ）でグリニャール反応を開始した。ＭＴＢＥ（５０ｍｌ）で溶解したネオフェニルクロリド（３５．４７ｇ、０．２ｍｏｌ）を５０分かけて還流させて滴下した。同じ温度で、２．５時間攪拌した後、反応混合物をＭＴＢＥで希釈し、ドライＣＯ２を３５℃（氷冷）の温度で表面上に導入した。該混合物をＨＣＬで酸性化し、ＭＴＢＥで抽出した。ＧＣは、５４：４６の割合の２，５−ジメチル−２，５−ジフェニル−へキサンと３−メチル−フェニル−ブタン酸の存在を明らかにした。
【手続補正４】
【補正対象書類名】明細書
【補正対象項目名】００５０
【補正方法】変更
【補正の内容】
【００５０】
【表１３】
2005519081.tif 000003
【手続補正５】
【補正対象書類名】明細書
【補正対象項目名】００５１
【補正方法】変更
【補正の内容】
【００５１】
ＤＰＧ中１％の化合物Ｉａを３重量部で添加すると、この香料の雰囲気が、青リンゴから、より甘く、より柔らかな“ゴールデン・デリシャス”タイプに変化する。それはまた、この香料の果皮の態様も高めている。
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
式１
【化１】
2005519085.tif 000001
〔式中、Ｒ1は、Ｃ7〜Ｃ22−アルキル；Ｃ4〜Ｃ20−アルコキシ−、Ｃ6〜Ｃ10−アリール−、Ｃ6〜Ｃ10−アリールオキシ−またはＣ4〜Ｃ12−アルコキシ−Ｃ2〜Ｃ4−アルコキシ−で置換されたＣ2〜Ｃ4アルキル（ここでアリールはハロゲン、Ｃ1〜Ｃ4−アルキル、Ｃ1〜Ｃ4−アルコキシ、ニトロまたはＣＦ3によって１回またはそれ以上置換されたフェニ
ルまたはナフチル基であってよい）；Ｃ7〜Ｃ20−アルケニル；３β−コレスタン−３−
イル；Ｃ6〜Ｃ12−アルキルまたはフェノキシによって置換されたフェニルを意味し、
Ｒ2、Ｒ3、Ｒ4およびＲ5は互いに独立して、水素、ハロゲン、ニトロ、Ｃ1〜Ｃ4−アルキル、Ｃ1〜Ｃ9−アルキルオキシ、トリフルオロメチル、トリフルオロメトキシ、またはＣ6〜Ｃ10−アリール−Ｃ1〜Ｃ4−アルキルオキシ、Ｃ6〜Ｃ10−アリールオキシ、Ｃ6〜
Ｃ10−アリール、Ｃ3〜Ｃ8−シクロアルキルもしくはＯ−Ｃ3〜Ｃ8−シクロアルキル（これらの各々は、ハロゲン、ＣＦ3、Ｃ1〜Ｃ4−アルキルオキシまたはＣ1〜Ｃ4−アルキル
によって１回、２回または３回置換されていてもよい）を意味する〕
の化合物ならびにその薬学的に受容可能な塩および酸付加塩。
【請求項２】
Ｒ1が、Ｃ7〜Ｃ22−アルキル、Ｃ7〜Ｃ20−アルケニル、３β−コレスタン−３−イル
、またはＣ6〜Ｃ12−アルキルもしくはフェノキシによって置換されたフェニルである請
求項１に記載の式１の化合物。
【請求項３】
Ｒ2が、水素、ハロゲン、Ｃ1〜Ｃ4−アルキルまたはＣ1〜Ｃ9−アルコキシである請求
項１または２に記載の式１の化合物。
【請求項４】
Ｒ3が、水素、Ｃ1〜Ｃ4−アルキル、トリフルオロメトキシ、Ｃ6〜Ｃ10−アリール−Ｃ1〜Ｃ4−アルキルオキシ（このアリール部分は場合によってハロゲンによって置換されてよい）である請求項１〜３のいずれか１項に記載の式１の化合物。
【請求項５】
Ｒ4が、水素、トリフルオロメトキシまたはクロロフェノキシである請求項１〜４のい
ずれか１項に記載の式１の化合物。
【請求項６】
Ｒ5が水素である請求項１〜５のいずれか１項に記載の式１の化合物。
【請求項７】
Ｒ1がＣ8〜Ｃ16−アルキルである請求項１〜６のいずれか１項に記載の式１の化合物。
【請求項８】
Ｒ1がＣ8〜Ｃ16−アルキルであり、
Ｒ2が水素であり、
Ｒ3が水素またはトリフルオロメチルオキシであり、
Ｒ4が水素、トリフルオロメチルオキシまたは４−クロロフェノキシであり、そして
Ｒ5が水素である
請求項１〜７のいずれか１項に記載の式１の化合物。
【請求項９】
下式
【化２】
2005519085.tif 000002
（式中、Ｒ1、Ｒ2、Ｒ3、Ｒ4およびＲ5が請求項１〜８のいずれか１項に規定したとおり
である）に従って、式２のヒドラジンを式３のクロロギ酸エステルまたは他の反応性炭酸エステル誘導体と反応させて、式４の化合物を生成し、これをホスゲン、カルボニルジイミダゾール、ジホスゲンまたはトリホスゲンによってアシル化し、環化しそして所望により、基Ｒ2〜Ｒ5をさらに化学的に修飾することにより、式１の化合物へと転化することからなる請求項１〜８のいずれか１項に記載の式１の化合物を製造する方法。
【請求項１０】
請求項１〜８のいずれか１項に記載の式１の化合物を少なくとも１つ含有する医薬。
【請求項１１】
請求項１〜８のいずれか１項に記載の式１の化合物を少なくとも１つ含有する肥満治療のための医薬。
【請求項１２】
請求項１〜８のいずれか１項に記載の式１の化合物の少なくとも１つの医薬としての使用。
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
式(I)：
【化１】
2005519087.tif 000001
［式中、
Xは、結合手、エテニレン基、エチニレン基、またはC1-6アルキル基、ヒドロキシ基およびC1-4アルコキシ基から選択される1つまたは2つの基で任意に置換されていてもよいメチレン基；カルボニル基、酸素原子、硫黄原子、スルホニル基、スルホキシド基、またはC1-6アルキル基で任意に置換されていてもよい窒素原子を表し、
R1は、C1-4アルキル基、C1-4アルコキシ基もしくはハロゲン原子で任意に置換されていてもよい2、4または5-ピリミジニルを表し、
R2は、C1-6アルキル基、C1-2パーハロゲン化アルキル基、C1-3ハロゲン化アルキル基、ベンジル基、ベンゼン環、ナフタレン環、5,6,7,8-テトラヒドロナフタレン環、ピリジン環、インドール環、ピロール環、チオフェン環、フラン環またはイミダゾール環を表し、ベンジル基およびこれらの環は、C1-6アルキル基、ベンゼン環、ハロゲン原子、C1-2パーハロゲン化アルキル基、C1-3ハロゲン化アルキル基、ヒドロキシ基、C1-4アルコキシ基、ニトロ、シアノ、アミノ、C1-6モノアルキルアミノ基またはC2-10ジアルキルアミノ基から選択される1〜4の置換基で任意に置換されていてもよく、そして、
nは0〜3を表す］
で表される、イミダゾ[1,2-a]ピリミドン誘導体、またはそれらの塩、またはそれらの溶媒和物もしくはそれらの水和物。
【請求項２】
R1が未置換の4-ピリミジン環を表す、請求項１に記載のイミダゾ[1,2-a]ピリミドン誘導体、またはそれらの塩、またはそれらの溶媒和物もしくはそれらの水和物。
【請求項３】
環が、任意に置換されていてもよいベンゼン環、ナフタレン環または5,6,7,8-テトラヒドロナフタレン環の、請求項１または２に記載のイミダゾ[1,2-a]ピリミドン誘導体、またはそれらの塩、またはそれらの溶媒和物もしくはそれらの水和物。
【請求項４】
・  1-(3-フェニル-プロピル)-7-(ピリミジン-4-イル)-1H-イミダゾ[1,2-a]ピリミジン-5-オン；
・  1-[3-(2-フルオロ-フェニル)-プロピル]-7-(ピリミジン-4-イル)-1H-イミダゾ[1,2-a]ピリミジン-5-オン；
・  1-[2-(4-フルオロ-2-メトキシ-フェニル)-エチル)-7-(ピリミジン-4-イル)-1H-イミダゾ[1,2-a]ピリミジン-5-オン；
・  1-[2-(4-メトキシ-フェニル)-エチル)-7-(ピリミジン-4-イル)-1H-イミダゾ[1,2-a]ピリミジン-5-オン；
・  1-[2-(4-メチル-フェニル)-エチル)-7-(ピリミジン-4-イル)-1H-イミダゾ[1,2-a]ピリミジン-5-オン；
・  1-(2-ナフタレン-1-イル-エチル)-7-(ピリミジン-4-イル)-1H-イミダゾ[1,2-a]ピリミジン-5-オン；
・  1-[2-(3-フルオロ-フェニル)-エチル)-7-(ピリミジン-4-イル)-1H-イミダゾ[1,2-a]ピリミジン-5-オン；
・  1-[2-(3-クロロ-フェニル)-エチル)-7-(ピリミジン-4-イル)-1H-イミダゾ[1,2-a]ピリミジン-5-オン；
・  1-[2-(2-メトキシ-フェニル)-エチル)-7-(ピリミジン-4-イル)-1H-イミダゾ[1,2-a]ピリミジン-5-オン；
・  4-[2-[5-オキソ-7-(ピリミジン-4-イル)-5H-イミダゾ[1,2-a]ピリミジン-1-イル]-エチル)-ベンゾニトリル
・  1-(2-ヒドロキシ-2-フェニル-エチル)-7-(ピリミジン-4-イル)-1H-イミダゾ[1,2-a]ピリミジン-5-オン；
・  1-(2-オキソ-2-フェニル-エチル)-7-(ピリミジン-4-イル)-1H-イミダゾ[1,2-a]ピリミジン-5-オン；
・  1-[2-(4-フルオロ-フェニル)-エチル)-7-(ピリミジン-4-イル)-1H-イミダゾ[1,2-a]ピリミジン-5-オン；
・  1-[2-(4-エトキシ-フェニル)-エチル)-7-(ピリミジン-4-イル)-1H-イミダゾ[1,2-a]ピリミジン-5-オン；または
・  1-[2-(2,5-ジメトキシ-フェニル)-エチル)-7-(ピリミジン-4-イル)-1H-イミダゾ[1,2-a]ピリミジン-5-オン；
からなる群から選択される、イミダゾ[1,2-a]ピリミドン誘導体、またはそれらの塩、またはそれらの溶媒和物もしくはそれらの水和物。
【請求項５】
式(III)：
【化２】
2005519087.tif 000002
［式中、
R1は、C1-4アルキル基、C1-4アルコキシ基またはハロゲン原子で任意に置換されていてもよい2、4または5-ピリミジニルを表す］
の7-(ピリミジニル)-イミダゾ[1,2-a]ピリミジン-5(1H)-オン誘導体。
【請求項６】
請求項1〜4のいずれか一つに記載の式(I)で表される イミダゾ[1,2-a]ピリミドン誘導体、またはそれらの塩、またはそれらの溶媒和物もしくはそれらの水和物からなる群から選択される物質を有効成分として含む医薬。
【請求項７】
請求項1〜4のいずれか一つに記載の式(I)で表される イミダゾ[1,2-a]ピリミドン誘導体、またはそれらの塩、またはそれらの溶媒和物もしくはそれらの水和物の群から選択されるGSK3β阻害剤。
【請求項８】
異常なGSK3β活性に起因する疾患の予防および/または治療のための、請求項1〜4のいずれか一つに記載の化合物を含む医薬組成物。
【請求項９】
神経組織変性疾患の予防および/または治療のための、請求項1〜4のいずれか一つに記載の化合物を含む医薬組成物。
【請求項１０】
神経組織変性疾患が、アルツハイマー病、パーキンソン病、タウオパシー、血管性痴呆症；急性発作、外傷；脳血管障害、ブレインコード損傷、脊髄損傷；末梢神経障害；網膜症または緑内障からなる群から選択される、請求項９に記載の医薬組成物。
【請求項１１】
非インスリン依存性糖尿病；肥満症；躁うつ病；精神分裂病；脱毛症；または癌の予防および/または治療のための、請求項1〜4のいずれか一つに記載の化合物を含む医薬組成物。
【請求項１２】
癌が、乳癌、非小細胞肺癌、甲状腺癌、TもしくはB細胞白血病またはウィルス腫瘍である、請求項１１に記載の医薬組成物。
【誤訳訂正書】
【提出日】平成17年11月4日(2005.11.4)
【誤訳訂正１】
【訂正対象書類名】特許請求の範囲
【訂正対象項目名】全文
【訂正方法】変更
【訂正の内容】
【特許請求の範囲】
【請求項１】
重合体鎖を形成するように連結された３０〜３０００の単量体ユニットによって構成される重合体担体から成るコンジュゲートであって、以下の：
ａ．６０〜９９％の、Ｎ−（２−ヒドロキシプロピル）メタクリルアミドのユニット、
ｂ．１〜２５％の、アントラサイクリン系制癌剤分子を末端にもつα−アミノ酸、ε−アミノ酸、芳香族アミノ酸又はオリゴペプチドのメタクリロイル化ヒドラゾンのユニット、
ｃ．０．５〜１５％の、メタクリロイル化α−アミノ酸、ε−アミノ酸、芳香族アミノ酸又はオリゴペプチド、あるいはそのナトリウム塩のユニット、及び、場合により
ｄ．０．５〜１０％の、α−アミノ酸、ε−アミノ酸、芳香族アミノ酸又はオリゴペプチドのメタクリロイル化ヒドラジドのユニット、
から成る前記コンジュゲート。
【請求項２】
０．５〜５％の、免疫グロブリン、又は特異的モノクローナル抗体若しくはポリクローナル抗体の分子を末端にもつメタクリロイル化α−アミノ酸、ε−アミノ酸又はオリゴペプチドをさらに含む、請求項１に記載のコンジュゲート。
【請求項３】
０．１〜５％の、重合体鎖の間で２価の連結を形成し、それにより前記コンジュゲートの架橋構造を形成する、アルキレン・ジアミンとインターリンクした酵素分解可能なメタクリロイル化オリゴペプチド・ユニットをさらに含む、請求項１又は２に記載のコンジュゲート。
【請求項４】
前記アントラサイクリン系制癌剤がドキソルビシンである、請求項１〜３のいずれか１項に記載のコンジュゲート。
【請求項５】
以下の一般式：
【化１】
2005519044.tif 000001
によって表される、請求項１に記載のコンジュゲートであって、個々の構造ユニットが鎖内に無作為に配置されており、かつ、式中、Ｘが、α−アミノ酸、ω−アミノ酸又はオリゴペプチド由来のアミノ酸又はオリゴペプチド残基により形成された好適な連結であり、ｘが、２０〜３０００の範囲内にあり、ａが、１〜７５０の範囲内のあり、ｂとｃが、各々１〜４５０の範囲内にある前記コンジュゲート。
【請求項６】
以下の一般式：
【化２】
2005519044.tif 000002
｛式中、
Ｘ、ｘ、ａ、ｂ及びｃが、先に規定した通りであり、
ｄが、１〜１５０の範囲内にあり、
Ｓが、記号の付いた構造により重合体鎖に連結された以下の組：静中用γ−グロブリン、自己抗体、抗１７−１Ａ抗体、抗ＣＡ１５−３抗体などの中から選択されるいずれかの抗体であるか、又は
Ｓが、さらなる類似の鎖を連結する生分解性オリゴペプチドを意味する。｝によって表される、請求項２に記載のコンジュゲート。
【請求項７】
使用されるアミノ酸又はオリゴペプチドが、以下の組：Ｇｌｙ、Ａｌａ、Ｌｅｕ、ＧｌｙＧｌｙ、ＧｌｙＬｅｕＧｌｙ、ＧｌｙＰｈｅＧｌｙ、ＧｌｙＰｈｅＬｅｕＧｌｙ、β−アラニン、γ−アミノブチル酸、ε−アミノカプロン酸（ＡＫａｐ）、ｐ−アミノ安息香酸（ＡＢ）の中から選択される、請求項１〜６のいずれか１項に記載のコンジュゲート。
【請求項８】
使用される抗体が、以下の組：静中用γ−グロブリン、自己抗体、抗１７−１Ａ抗体、抗ＣＡ１５−３抗体及び他の腫瘍特異的及び腫瘍関連抗体の中から選択される、請求項２又は６に記載のコンジュゲート。
【請求項９】
線状鎖を連結する２価のユニットが、以下の組：ＧｌｙＰｈｅＬｅｕＧｌｙ、ＧｌｙＬｅｕＧｌｙ、ＧｌｙＰｈｅＧｌｙ、ＧｌｙＬｅｕＰｈｅＧｌｙの中から選択される、請求項３に記載のコンジュゲート。
【請求項１０】
活性成分として請求項１〜９のいずれか１項に記載のコンジュゲートを含むことを特徴とする、腫瘍治療用医薬組成物。
【請求項１１】
乳房腫瘍又は結腸直腸腫瘍といった腫瘍の治療のために設計された、請求項１０に記載の医薬組成物。
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
（ａ）式Ｉ：
【数１】
2005519041.tif 000001
［式Ｉのアミノ酸配列は配列番号１に記載されている。］
で示されるＡ鎖、および
（ｂ）式ＩＩ：
【数２】
2005519041.tif 000002
［式ＩＩのアミノ酸配列は配列番号２に記載されている。］
で示されるＢ鎖を有するインスリン分子であって、
配列中、
Ａ−１位のＸａａはＡｒｇ、誘導体型Ａｒｇ、ホモアルギニン、脱アミノホモアルギニン、脱アミノアルギニン、Ｌｙｓ、誘導体型Ｌｙｓ、脱アミノリジン、αグアニジノホモアルギニン、αメチルアルギニンであるか、または存在せず、
Ａ０位のＸａａはＡｒｇ、誘導体型Ａｒｇ、ホモアルギニン、脱アミノホモアルギニン、脱アミノアルギニン、Ｌｙｓ、誘導体型Ｌｙｓ、脱アミノリジン、αグアニジノホモアルギニンまたはαメチルアルギニンであり、
Ａ２１位のＸａａは遺伝子学的にコード可能なアミノ酸であり、
Ｂ−１位のＸａａはＡｒｇ、誘導体型Ａｒｇ、ホモアルギニン、脱アミノホモアルギニン、脱アミノアルギニン、Ｌｙｓ、誘導体型Ｌｙｓ、脱アミノリジン、αグアニジノホモアルギニン、αメチルアルギニンであるか、または存在せず、
Ｂ０位のＸａａはＡｒｇ、誘導体型Ａｒｇ、ホモアルギニン、脱アミノホモアルギニン、脱アミノアルギニン、Ｌｙｓ、誘導体型Ｌｙｓ、脱アミノリジン、αグアニジノホモアルギニン、αメチルアルギニンであるか、または存在せず、
Ｂ２８位のＸａａはＬｙｓまたはＰｒｏであり、
Ｂ２９位のＸａａはＬｙｓまたはＰｒｏであり、
Ｂ３０位のＸａａはＴｈｒ、Ａｌａであるかまたは存在せず、
Ｂ２８位のＸａａまたはＢ２９位のＸａａのいずれか１つはＬｙｓであり、
Ｂ２８位のＸａａおよびＢ２９位のＸａａの両方共がＬｙｓであることはなく、
Ｂ２８位またはＢ２９位のＬｙｓのεアミノ基は正に荷電したアミノ酸のα−カルボキシル基に共有結合してＬｙｓ−Ｎε−アミノ酸誘導体を形成している、インスリン分子。
【請求項２】
Ｂ２８位またはＢ２９位のＬｙｓのεアミノ基がＡｒｇのαカルボキシル基に共有結合してＬｙｓ−Ｎε−Ａｒｇを形成している、請求項１に記載のインスリン分子。
【請求項３】
Ｂ２８位またはＢ２９位のＬｙｓのεアミノ基がＬｙｓのαカルボキシル基に共有結合してＬｙｓ−Ｎε−Ｌｙｓを形成している、請求項１に記載のインスリン分子。
【請求項４】
Ａ０位のＸａａがＡｒｇ、誘導体型Ａｒｇ、ホモアルギニン、脱アミノホモアルギニン、脱アミノアルギニン、Ｌｙｓ、誘導体型Ｌｙｓ、脱アミノリジン、αグアニジノホモアルギニンまたはαメチルアルギニンであり、
Ｂ０位のＸａａがＡｒｇ、誘導体型Ａｒｇ、ホモアルギニン、脱アミノホモアルギニン、脱アミノアルギニン、Ｌｙｓ、誘導体型Ｌｙｓ、脱アミノリジン、αグアニジノホモアルギニン、αメチルアルギニンであるか、または存在しない、請求項１に記載のインスリン分子。
【請求項５】
Ａ０位のＸａａがＡｒｇであり、
Ｂ０位のＸａａが存在しない、請求項４に記載のインスリン分子。
【請求項６】
真性糖尿病の治療用の医薬の製造のための、請求項１〜５のいずれか１項に記載のインスリン分子の使用。
【請求項７】
請求項１〜５のいずれか１項に記載のインスリン分子を含有する組成物。
【請求項８】
組成物が医薬組成物である、請求項７に記載の組成物。
【手続補正書】
【提出日】平成17年10月25日(2005.10.25)
【手続補正１】
【補正対象書類名】特許請求の範囲
【補正対象項目名】請求項２
【補正方法】変更
【補正の内容】
【請求項２】
化合物が下記の立体化学配置：
【化３】
2005519048.tif 000001
を有する請求項１記載の使用。
【手続補正２】
【補正対象書類名】特許請求の範囲
【補正対象項目名】請求項３
【補正方法】変更
【補正の内容】
【請求項３】
（ａ）Ｒ１およびＲ２は、それらが結合している窒素原子と一緒になって、置換されていてもよい５−または６−員環を形成し、ここに、１以上の炭素原子はＮ、ＯおよびＳから独立して選択されるヘテロ原子で置き換わっていてもよく、該環はさらに、Ｃ５−Ｃ７脂環式または５−もしくは６−員の芳香族もしくは複素環式芳香族環に縮合していてもよく；または
（ｂ）Ｒ１およびＲ２は、それらが結合している窒素原子と一緒になって、５−または６−員の複素環式環を形成し、ここに、唯一のヘテロ原子はＲ１およびＲ２が結合している窒素原子であり、該環は、Ｃ１−Ｃ６アルキルおよびＣ３−Ｃ６シクロアルキルから独立して選択される１以上の基によって、より好ましくはＣ１−Ｃ４アルキルから独立して選択される１以上の基によって、もっとも好ましくはメチル、エチルまたはイソプロピルによって置換されていてもよく；または
（ｃ）Ｒ１およびＲ２は、Ｃ１−Ｃ６アルキル、好ましくはＣ３−Ｃ６アルキルから独立して選択される
請求項１または２に記載の使用。
【手続補正３】
【補正対象書類名】特許請求の範囲
【補正対象項目名】請求項４
【補正方法】変更
【補正の内容】
【請求項４】
ｎが０である請求項１−３のいずれか１項記載の使用。
【手続補正４】
【補正対象書類名】特許請求の範囲
【補正対象項目名】請求項５
【補正方法】変更
【補正の内容】
【請求項５】
Ｚが５−または６−員の単環系であるか、またはＺが６−ないし１０−員の二環系である請求項１−４のいずれか１項記載の使用。
【手続補正５】
【補正対象書類名】特許請求の範囲
【補正対象項目名】請求項６
【補正方法】変更
【補正の内容】
【請求項６】
Ｚが−ｈａｌ、Ｃ１−Ｃ６アルキル、Ｃ１−Ｃ６アルコキシ、ＣＦ３、ＣＮおよびＣ３−Ｃ６シクロアルキルから独立して選択される１以上の基によって置換されていてもよいフェニル、チエニル、ナフチル、ナフチリジニル、キノリル、イソキノリル、ベンゾチエニル、クロマニル、クロメニル、イミダゾールイソチアゾリル、ベンゾチアジアゾリルまたはベンゾフリルである請求項５記載の使用。
【手続補正６】
【補正対象書類名】特許請求の範囲
【補正対象項目名】請求項７
【補正方法】変更
【補正の内容】
【請求項７】
Ｒ４が水素またはＣ１−Ｃ６アルキルである請求項１−６のいずれか１項記載の使用。
【手続補正７】
【補正対象書類名】特許請求の範囲
【補正対象項目名】請求項８
【補正方法】変更
【補正の内容】
【請求項８】
Ｒ５が水素、Ｃ１−Ｃ６アルキル、アリールおよびベンジルから選択され、これらの基はｈａｌ、Ｃ１−Ｃ６アルキルおよびＯＲ２４から独立して選択される１以上の基によって置換されていてもよい請求項１−７のいずれか１項記載の使用。
【手続補正８】
【補正対象書類名】特許請求の範囲
【補正対象項目名】請求項９
【補正方法】変更
【補正の内容】
【請求項９】
Ｒ６、Ｒ７、Ｒ８およびＲ９が水素およびＣ１−Ｃ６アルキルから独立して選択される請求項１−８のいずれか１項記載の使用。
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
リンカーにより結合されている第４級アンモニウム基によって０．４〜３．０の置換度で置換されている多糖類を有効成分として含有することを特徴とする感染症の処置剤。
【手続補正書】
【提出日】平成18年1月10日(2006.1.10)
【手続補正１】
【補正対象書類名】明細書
【補正対象項目名】０３８６
【補正方法】変更
【補正の内容】
【０３８６】
ＧＬＰ−１（１−３７）：  His Asp Glu Phe Glu Arg His Ala Glu Gly Thr Phe Thr Ser Asp Val Ser Ser Tyr Leu Glu Gly Gly Ala Ala Lys Glu Phe Ile Ala Trp Leu Val Lys Gly Arg Gly    (SEQ ID NO: 336)。
【手続補正２】
【補正対象書類名】明細書
【補正対象項目名】０３８７
【補正方法】変更
【補正の内容】
【０３８７】
ＧＬＰ−１（１−３６）アミド：  His Asp Glu Phe Glu Arg His Ala Glu Gly Thr Phe Thr Ser Asp Val Ser Ser Tyr Leu Glu Gly Gly Ala Ala Lys Glu Phe Ile Ala Trp Leu Val Lys Gly Arg NH2    (SEQ ID NO: 337)。
【手続補正３】
【補正対象書類名】明細書
【補正対象項目名】０３８８
【補正方法】変更
【補正の内容】
【０３８８】
ＧＬＰ−１（７−３７）：  His Ala Glu Gly Thr Phe Thr Ser Asp Val Ser Ser Tyr Leu Glu Gly Gly Ala Ala Lys Glu Phe Ile Ala Trp Leu Val Lys Gly Arg Gly    (SEQ ID NO: 338)。
【手続補正４】
【補正対象書類名】明細書
【補正対象項目名】０３８９
【補正方法】変更
【補正の内容】
【０３８９】
ＧＬＰ−１（７−３６）アミド：  His Ala Glu Gly Thr Phe Thr Ser Asp Val Ser Ser Tyr Leu Glu Gly Gly Ala Ala Lys Glu Phe Ile  Ala Trp Leu Val Lys Gly Arg NH2    (SEQ ID NO: 339)。
【手続補正５】
【補正対象書類名】明細書
【補正対象項目名】配列表
【補正方法】変更
【補正の内容】
【配列表】
2005519059000001.app
【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  （ａ）コリメート光ビームを発生させることと、
（ｂ）ビームが眼の網膜から反射される眼中にビームを向けることと、
（ｃ）反射されたビームを第１のレチクル中に向けて影パターンを発生させることと、
（ｄ）影パターンを分析して眼の測定データを生成することとを含む、眼の所定の特性を測定するための方法。
【請求項２】  影パターンを第２のレチクル中に向けてモアレ・パターンを発生させることを含む、請求項１に記載の方法。
【請求項３】  ノイズを除去するために眼と第１のレチクルの間に配置されたバッフルを含む、請求項１に記載の方法。
【請求項４】  影パターンが向けられるスクリーンを含む、請求項１に記載の方法。
【請求項５】  眼の相対運動を追跡することを含む、請求項１に記載の方法。
【請求項６】  ７８０ナノメートルから９００ナノメートルまでの波長をもつコリメート・ビームを発生することを含む、請求項１に記載の方法。
【請求項７】  約８４０ナノメートルの波長をもつコリメート・ビームを発生することを含む、請求項１に記載の方法。
【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】  メディア・データ、および前記メディア・データをどのようにしてデジタル処理システムから伝送するかを示す情報を含むコンピュータ可読媒体であって、
第１の時間に関係したデータのシーケンスと、
前記第１の時間に関係したメディア・データのシーケンスをどのようにして伝送するかを示す、前記第１の時間に関係したデータのシーケンスに関連する第２の時間に関係したデータのシーケンスと
を含むコンピュータ可読媒体。
【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  携帯型計算装置で複数の無線アドレスに対する無線情報を受信するためのコンピュータが実施する方法であって、
前記携帯型計算装置の電池からのみ無線受信機に電力を供給することと、
ある無線アドレスに対する情報パケットを備える無線情報を受信することであって、前記情報パケットは第１の部分と第２の部分とを備え、前記第１の部分は前記情報パケットの第２の部分のコンテントを示すトピック情報を有することと、
前記無線受信機のメモリに前記無線情報を格納することと、
受信した前記情報パケットに関連付けられた前記無線アドレスが前記携帯型計算装置によって使用される前記複数の無線アドレスの１つであるかを識別することと、
受信した前記情報パケットに関連付けられた前記無線アドレスが前記携帯型計算装置によって使用される前記複数の無線アドレスの１つである場合に、前記情報パケットの前記第１の部分を第１の処理要素を有する前記携帯型計算装置に格納されたコンテントフィルタデータと比較することと、
前記無線情報が前記無線受信機で使用可能な前記メモリの閾値を満たすときに前記携帯型計算装置のプロセッサをウェイクアップさせることと、
前記無線情報を前記無線受信機の前記メモリから前記携帯型計算装置のメモリへ移すことと、
前記第１の部分が前記コンテントフィルタデータのいずれかに一致する場合に少なくとも前記情報パケットの前記第２の部分を前記携帯型計算装置の別のコンポーネントに第２の処理要素による処理のために転送することと
を備えることを特徴とする方法。
【請求項２】  請求項１に記載の方法であって、
前記第１の部分が前記コンテントフィルタデータのいずれにも一致しない場合に前記情報パケットを破棄することをさらに備えることを特徴とする方法。
【請求項３】  請求項１または２に記載の方法であって、
前記比較するステップは、前記無線アドレスに応じて前記情報パケットの前記第１の部分を前記コンテントフィルタデータと比較することを含むことを特徴とする方法。
【請求項４】  請求項３に記載の方法であって、
前記情報パケットは、グループアドレスを含み、前記比較するステップは、前記グループアドレスに応じて前記情報パケットの前記第１の部分を前記コンテントフィルタデータと比較することを含むことを特徴とする方法。
【請求項５】  請求項１から４のいずれかに記載の方法であって、
前記コンテントフィルタデータは、複数のデータテーブルを備え、各データテーブルはグループアドレスと関連付けられていることを特徴とする方法。
【請求項６】  請求項５に記載の方法であって、
各データテーブルは、フィルリングについてのユーザの嗜好の１つ、セットまたは範囲のうちの少なくとも１つの表現を含むことを特徴とする方法。
【請求項７】  請求項５または６に記載の方法であって、
各データテーブルは、ハッシュ関数に従って格納された情報を備えることを特徴とする方法。
【請求項８】  請求項７に記載の方法であって、
各データテーブルは、ビットアレイを備え、各ビットの状態は、選択されたタイプの情報についてのユーザの嗜好を示し、前記ハッシュ関数は、オフセット値を生成し、前記比較するステップは、
前記第１の部分にハッシュ関数を作用させて、前記オフセット値を生成することと、
前記オフセット値に応じて前記ビットアレイの前記ビットの状態をチェックすることと
を含むことを特徴とする方法。
【請求項９】  請求項１から８のいずれかに記載の方法であって、
前記コンテントフィルタデータは、前記無線アドレスに応じて格納される追加の情報を含むことを特徴とする方法。
【請求項１０】  請求項９に記載の方法であって、
前記追加の情報に応じて前記第２の部分をフィルタすることをさらに備えることを特徴とする方法。
【請求項１１】  請求項１から１０のいずれかに記載の方法であって、
所望のコンテント情報を示すユーザの嗜好を受信することと、
前記携帯型計算装置と共に使用可能であるアドレスに応じて前記ユーザの嗜好を編成することであって、前記アドレスは前記携帯型計算装置に対して対応する情報を送信するために使用されることと、
前記携帯型計算装置のコンピュータ読出し可能媒体の関連付けられたアドレスに応じて前記ユーザの嗜好を格納することであって、前記コンピュータ読出し可能媒体は受信した無線情報を処理するためのフィルタリングモジュールによってアクセス可能であることと
をさらに備えることを特徴とする方法。
【請求項１２】  実施されると、請求項１から１１のいずれかに記載の方法を行う命令を有することを特徴とするコンピュータ読出し可能媒体。
【請求項１３】  請求項１から１１のいずれかに記載の方法を行うように適合されたことを特徴とする携帯型計算装置。
【手続補正書】
【提出日】平成18年7月28日(2006.7.28)
【手続補正１】
【補正対象書類名】明細書
【補正対象項目名】特許請求の範囲
【補正方法】変更
【補正の内容】
【特許請求の範囲】
【請求項１】  １，３−プロパンジオールの精製方法であって、
ａ）１，３−プロパンジオールを酸性触媒に不純物が反応するに要する温度より高いがエーテル生成が広範に起こるに要する温度より低い温度で接触させ、ここで該温度は１００℃以上であり、そして
ｂ）精製された１，３−プロパンジオールを不純物、反応した不純物および前記酸性触媒から単離する、
段階を含んで成る方法。
【手続補正２】
【補正対象書類名】明細書
【補正対象項目名】００２５
【補正方法】変更
【補正の内容】
【００２５】
実施例３
ジオールの大規模精製
実施例１に記述した１，３−プロパンジオール精製方法をスケールアップした。３０ガロンのグラス内張りクレーブ（ｇｌａｓｓ−ｌｉｎｅｄ  ｃｌａｖｅ）に重合体グレードの１，３−プロパンジオール（１７６ポンド）およびＮａｆｉｏｎ（商標）ＮＲ５０触媒（１．７６ポンド）を仕込んだ。この混合物を窒素雰囲気下で機械的に撹拌しながら１５０℃に加熱した。温度を１５０℃に一定に約２時間保持した後、冷却して室温にした。冷却後、前記クレーブの排出をフィルターに通して行うことで前記固体状の酸性触媒を回収した。蒸留塔と機械的撹拌機と窒素入り口が備わっている２２Ｌの３つ口フラスコを用いて、その変色したジオール溶液（これが示したＡＰＨＡ色値は３００を越えていた）のバッチ式蒸留を減圧下１２０℃で行った。この蒸留が終了した後、この精製を受けたジオール（１４４ポンド）が示したＡＰＨＡ値は３である。このような精製を受けさせた１，３−プロパンジオールを窒素下で還流に３時間加熱すると、ＡＰＨＡ色値が３から１２まで高くなった。この精製を受けさせたジオールを用いて実施例２に記述した如くポリ（１，３−プロパンジオール）を生じさせたところ、この重合体が示したＡＰＨＡ色値は３０であった。
本発明の好適な実施態様は次のとおりである。
１．  １，３−プロパンジオールの精製方法であって、
ａ）１，３−プロパンジオールを酸性触媒に不純物が反応するに要する温度より高いがエーテル生成が広範に起こるに要する温度より低い温度で接触させ、ここで該温度は１００℃以上であり、そして
ｂ）精製された１，３−プロパンジオールを不純物、反応した不純物および前記酸性触媒から単離する、
段階を含んで成る方法。
２．  前記精製された１，３−プロパンジオールの単離を１）前記酸性触媒を分離しそして２）１，３−プロパンジオールを前記不純物および反応した不純物から留出させることで行う上記１記載の方法。
３．  段階ａにおける温度を１００から１６０℃の範囲にする上記１記載の方法。
４．  段階ａにおける温度を１３０から１５０℃の範囲にする上記３記載の方法。
５．  前記酸性触媒が１，３−プロパンジオールに不溶である上記１記載の方法。
６．  前記酸性触媒が固体状である上記５記載の方法。
７．  前記固体状の酸性触媒をペンダント型スルホン酸基またはペンダント型カルボン酸基を含むイオン交換用完全フッ素置換重合体（ＰＦＩＥＰ）、酸性ゼオライトおよび酸性粘土から成る群から選択する上記６記載の方法。
８．  前記固体状の酸性触媒を、ペンダント型スルホン酸基含有イオン交換用完全フッ素置換重合体、シリカまたはアルミナに支持されているペンダント型スルホン酸基含有イオン交換用完全フッ素置換重合体およびペンダント型スルホン酸基含有イオン交換用完全フッ素交換重合体とシリカから作られた多孔質ナノ複合体から成る群から選択する上記７記載の方法。
【手続補正書】
【提出日】平成17年8月24日(2005.8.24)
【手続補正１】
【補正対象書類名】明細書
【補正対象項目名】請求項１
【補正方法】変更
【補正の内容】
【請求項１】  充実性腫瘍の治療ための、静脈内経路により投与される有効量のアルキル化剤と組み合わせの、経口でもしくは静脈内で投与される有効量のカンプトテシンもしくはカンプトテシン誘導体を含んで成る相乗作用の治療用製薬学的組成物。
【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】  仕様の異なる実現であるコンピュータの第２のコード部分に対して前記仕様の実現であるコンピュータの第１のコード部分をテストする方法であって、
前記第１と第２のコード部分において対応する個々の第１の同期点を含む、前記第１と第２のコード部分における対応する同期点を規定するステップと、
前記第１のコード部分の前記第１の同期点に対し前記第１のコード部分を実行するステップと、
メッセージ前の状態を生成するステップと、
前記メッセージ前の状態を前記第２のコード部分へ送るステップと、
前記第２のコード部分の前記第１の同期点に対し前記第２のコード部分を実行するステップと、
メッセージ後の状態を生成するステップと、
前記メッセージ後の状態を前記第１のコード部分に送るステップと、
前記メッセージの前の状態と前記メッセージ後の状態を比較するステップと、
を含む方法。
【請求項２】  前記第１のコード部分を実行するステップは第１の実行能力をもつ第１のコード部分を含み、前記第２のコード部分を実行するステップは第２の実行能力をもつ第２のコード部分を含む、請求項１に記載の方法。
【請求項３】  前記第１のコード部分に置かれるネイティブな方法を実行するステップと、前記第２のコード部分に置かれるネイティブな方法の結果を送るステップをさらに含む、請求項１に記載の方法。
【請求項４】  前記第１のコード部分により実行されるネイティブな方法のリストを生成するステップと、
前記ネイティブな方法のリストを前記第２のコード部分に与えるステップと、
をさらに含む、請求項１に記載の方法。
【請求項５】  前記第２のコード部分における状態要素の値をセーブするステップと、
前記第２のコード部分における前記状態要素の値を更新するステップと、
前記第１のコード部分へ前記値を送るステップと、
をさらに含む、請求項１に記載の方法。
【請求項６】  状態要素のセーブされた値を復元するステップと、をさらに含む請求項５に記載の方法。
【請求項７】  状態情報データベースをクリアにするステップをさらに含む、請求項１に記載の方法。
【請求項８】  アイテムを読み取りまたは書き込む時に前記状態情報データベースに追加するステップをさらに含む、請求項７に記載の方法。
【請求項９】  対応する同期点を規定するステップは、制御の条件付き転送、方法呼出し、方法リターン、そして制御の逆方向転送のグループから同期点を選択するステップを含む、請求項１に記載の方法。
【請求項１０】  前記第２のコード部分の実行は前記第２のコード部分の同期点でピグライアへ転送される、請求項１に記載の方法。
【請求項１１】  メッセージ前の状態を生成するステップは送信するスレッドのアイデンティティを含む、請求項１に記載の方法。
【請求項１２】  メッセージ後の状態を生成するステップは送信するスレッドのアイデンティティを含む、請求項１に記載の方法。
【請求項１３】  仕様の異なる実現であるコンピュータ・コードの第２の部分に対して仕様の実現であるコンピュータ・コードの第１の部分をテストする方法であって、プレスレッド同期ループを実現するステップを含む、方法。
【請求項１４】  メッセージ前の状態を生成するステップと、
第２のプレスレッド同期ループを実現するステップと、
メッセージ後の状態を生成するステップと、
を含む、請求項１３に記載の方法。
【請求項１５】  バッファにメッセージ後の状態を記憶するステップをさらに含む、請求項１４に記載の方法。
【請求項１６】  仕様の異なる実現であるコンピュータ・コードの第２の部分に対して仕様の実現であるコンピュータ・コードの第１の部分をテストするシステムであって、
前記第１のコード部分を実行し、前記第１のコード部分における同期点に対し前記前記第１のコード部分を実行し且つ第１の状態メッセージを生成するように構成された第１の仮想マシーンと、
前記第２のコード部分を実行し、前記第２のコード部分における同期点に対し前記前記第２のコード部分を実行し、ピグライアと第２の状態メッセージを生成するように動作するコンパイラを有するように構成された第２の仮想マシーンと、
前記第１と第２の仮想マシーンに結合され、前記第１と第２の仮想マシーン間で前記第１と第２の状態メッセージを転送する、移送機構と、
を含むシステム。
【請求項１７】  前記第１と第２のコード部分における各第１の同期点は、制御の条件付き転送、方法呼出し、方法リターン、そして制御の逆方向転送のグループから同期点を選択するステップを含む、請求項１６に記載の方法。
【請求項１８】  前記第１の状態メッセージは送信するスレッドのアイデンティティを含む、請求項１６に記載の方法。
【請求項１９】  前記第２の状態メッセージは送信するスレッドのアイデンティティを含む、請求項１６に記載の方法。
【請求項２０】  前記ピグライアは前記第２の仮想マシーンの状態要素をセーブする構成要素を含む、請求項１６に記載の方法。
【請求項２１】  前記ピグライアは前記第２の仮想マシーンの状態要素を更新ブする構成要素を含む、請求項１６に記載の方法。
【請求項２２】  前記ピグライアは前記第２の仮想マシーンの状態要素を復元する構成要素を含む、請求項１６に記載の方法。